(57)【要約】【課題】使用者に常時データをバックアップさせ、電子装置のデータ遺失時の損失を軽減することができる保存機能を有する接続線を用いたデータバックアップ方法及びデータリカバリ方法を提供する。【解決手段】本発明の保存機能を有する接続線を用いたデータバックアップ方法及びデータリカバリ方法は、電子装置が接続線に接続する時、データのバック又はリカバリを行うことができ、該接続線は、該電子装置が充電を必要とするか、パソコンと接続する必要が圧時に何れも必要とするものであるので、使用者は、該接続線を常時携帯し、且つ随時随所でデータのバックアップ及びリカバリを行うことができ、長時間データをバックアップせずに、バックアップした旧データと該電子装置の最近の新しいデータの差異が過度に大きくなる状況の発生を招くことを回避し、データバックアップ及びリカバリの利便性を向上する。【選択図】図４
2016197401.tif 000002
【特許請求の範囲】
【請求項１】
電子装置により実行される保存機能を有する接続線を用いたバックアップ方法であって、前記方法は、以下の工程を含む：
バックアップ信号を受け取り、且つ保存機能を有する接続線と接続しているかを判断し、前記保存機能を有する接続線は、フラッシュメモリモジュールを有する接続線であり、
前記バックアップ信号を取り且つ前記接続線と接続している時、バックアッププロセスを実行し、
バックアッププロセスを実行する時、電子装置内に保存したデータを前記接続線に伝送してバックアップし、
前記保存機能を有する接続線が前記データを保存完了したかを確認し、
前記接続線が前記データを保存完了していれば、前記バックアッププロセスを終了する。
【請求項２】
前記データは、連絡者データ、カレンダーデータ又は写真データである請求項１に記載の保存機能を有する接続線を用いたバックアップ方法。
【請求項３】
電子装置により実行される保存機能を有する接続線を用いたデータリカバリ方法であって、前記方法は、以下の工程を含む：
リカバリ信号を受け、保存機能を有する接続線と接続しているかを判断し、
前記リカバリ信号を受け、且つ前記接続線と接続している時、リカバリプロセスを実行し、
前記リカバリプロセスを実行する時、前記接続線内に保存したデータを選択し、前記データを前記伝送装置に伝送し、
前記電子装置は、前記データを保存完了したかを確認し、
前記データが保存完了していれば、前記リカバリプロセスを終了する。
【請求項４】
前記データは、連絡者データ、カレンダーデータ又は写真データである請求項２に記載の保存機能を有する接続線を用いたデータリカバリ方法。
【請求項５】
前記接続線は、
回路板アセンブリ、フラッシュメモリモジュール及び遮蔽外殻を有する、充電及びデータのバックアップ又はリカバリを行うことができるプラグコネクタと、
デバイスコネクタと、
プラグコネクタ及びデバイスコネクタの間に接続されるケーブル本体と、
を含み、
前記回路板アセンブリは、回路板と、第１端子組と、メモリコネクタと、を有し、前記第１端子組は、回路板上面に設置され、且つ電力を伝送可能な複数の第１導電端子を有し、前記メモリコネクタは、回路板底面に設置され、
前記フラッシュメモリモジュールは、メモリコネクタ上に取り付けられ、
前記遮蔽外殻前後は、収容空間を形成し、前記回路板アセンブリ及び前記フラッシュメモリモジュールを収容する、請求項１乃至請求項４の何れか１項に記載の方法。
【請求項６】
前記フラッシュメモリモジュールは、取り外し不可にメモリコネクタに取り付けられる請求項５に記載の方法。
【請求項７】
前記フラッシュメモリモジュールは、取り外し可能にメモリコネクタに取り付けられる請求項５に記載の方法。
【請求項８】
前記メモリコネクタは、固定支持部材及び複数の信号端子を有し、前記固定支持部材は、回路板底面に固定され、固定支持部材底面に組み立て溝を形成し、前記フラッシュメモリモジュールは、複数の金属接点を有し、それぞれ前記複数の信号端子に電気接続する請求項５乃至請求項７の何れか１項に記載の方法。
【請求項９】
前記回路板アセンブリは、第２端子組を更に含み、前記第２端子組は、回路板上面に設置され、且つ複数の第２導電端子を含む請求項８に記載の方法。
【請求項１０】
前記充電及びデータのバックアップ又はリカバリを行うことができるプラグコネクタは、更に保護殻を含み、前記保護殻上に空間を形成し、遮蔽外殻を収容する請求項９に記載の方法。
【請求項１１】
前記充電及びデータのバックアップ又はリカバリを行うことができるプラグコネクタは、ＵＳＢ２．０標準に適合する請求項１０に記載の方法。
【請求項１２】
前記充電及びデータのバックアップ又はリカバリを行うことができるプラグコネクタは、ＵＳＢ３．０標準に適合する請求項１０に記載の方法。
【発明の詳細な説明】
【技術分野】
【０００１】
本発明は、データバックアップ方法及びデータリカバリ方法に関し、特に、保存機能を有する接続線を用いたデータバックアップ方法及びデータリカバリ方法に関する。
【背景技術】
【０００２】
現代人の多くは、電子装置を使用する習慣があり、しばしば電子装置を利用してイベントを記録し、例えば、電子装置を利用して写真、カレンダー又は連絡者の情報を記録する。但し、電子装置のメモリ容量は有限であり、記録すべきデータが益々多くなる場合、電子装置のメモリ容量が不足する。従って、電子装置中に記録するデータを整理し、不要なデータを削除又はデータをその他の保存装置中に移す必要がある。
【０００３】
また、ただデータを電子装置のメモリ中に保存する場合は、電子装置の遺失又は電子装置のメモリの損壊時、使用者は、該データを失う恐れがあるので、使用者は、再記録する必要があり、且つ再記録の過程で幾つかのデータを欠き易く、使用者の後続の使用上の不便を招き、修復できなくなる。故に現有技術は、電子装置及びパソコンを接続し、電子装置中のデータを該パソコン中に保存し、該データを電子装置及びパソコン中に同期保存させ、電子装置の遺失又は損壊時に招く損失を軽減させる。
【０００４】
但し、現有技術では、電子装置とパソコンの接続後に初めてバックアップを行うことができ、使用者がパソコンを有さない状況において、該データを即時バックアップすることができず、又は使用者が長時間電子装置とパソコンを接続しなければ、使用者がその時間内に電子装置を使用して記録したデータは、パソコンにバックアップされず、パソコンにバックアップされているデータと電子装置中のデータに差異が生じ、且つパソコンに接続しない時間が長くなるほど、差異が大きくなる。このように、パソコン中に電子装置のデータをバックアップするとしても長時間更新していなかった状況においては、使用者が電子装置の遺失後に、ただ該パソコンから長らく以前の旧データを読み取ることしかできず、最近の新しいデータは該パソコン中に保存されておらず、依然としてデータ遺失の問題があり、使用者の不便を招く。
【発明の概要】
【発明が解決しようとする課題】
【０００５】
現有技術のデータをパソコン中にバックアップすることは依然として不便な欠点があることに鑑み、本発明の目的は、使用者に常時データをバックアップさせ、電子装置のデータ遺失時の損失を軽減することができる保存機能を有する接続線を用いたデータバックアップ方法及びデータリカバリ方法を提供することである。
【０００６】
本発明のもう１つの目的は、プラグコネクタを提供することである。
【課題を解決するための手段】
【０００７】
上記目的を達成する為、本発明は、保存機能を有する接続線を用いたバックアップ方法は、電子装置により実行され、該方法は、以下の工程を含む：
バックアップ信号を受け取り、且つ保存機能を有する接続線と接続しているかを判断し、そのうち、該保存機能を有する接続線は、フラッシュメモリモジュールを有する接続線であり、
該バックアップ信号を取り且つ該接続線と接続している時、バックアッププロセスを実行し、
バックアッププロセスを実行する時、該電子装置内に保存したデータを該接続線に伝送してバックアップし、
該保存機能を有する接続線が該データを保存完了したかを確認し、
該接続線が該データを保存完了していれば、該バックアッププロセスを終了する。
【０００８】
該接続線は、電子装置を接続して充電を行わせるか、パソコンに接続してデータを伝送させることができるので、使用者は、該接続線を常に携帯し、本発明によって電子装置が該接続線により充電すると同時にデータをバックアップするか、電子装置が該接続線によりパソコンと接続時にデータを該接続線中にバックアップし、これにより常時バックアップデータを更新し、電子装置のデータ遺失時の損失を軽減する目的を達成する。
【０００９】
また、本発明の保存機能を有する接続線を用いたデータリカバリ方法は、電子装置により実行され、該方法、以下の工程を含む：
リカバリ信号を受け、保存機能を有する接続線と接続しているかを判断し、
該リカバリ信号を受け、且つ該接続線と接続している時、リカバリプロセスを実行し、
該リカバリプロセスを実行する時、該接続線内に保存したデータを選択して該伝送装置に伝送し、
該電子装置は、該データを保存完了したかを確認し、
該データが保存完了していれば、該リカバリプロセスを終了する。
【００１０】
本発明のプラグコネクタは、回路板アセンブリ、メモリモジュール及び遮蔽殻体を含む。回路板アセンブリは、回路板及び第１端子組を含む。該第１端子組は、複数の第１導電端子を含み、電力を伝送し、該第１端子組は、該回路板の上面に配置される。該メモリコネクタが該回路板の底面に配置される。該メモリモジュールは、該メモリコネクタ上に取り付けられる。該遮蔽外殻は、収容空間を含む。該収容空間は、回路板アセンブリ、メモリモジュール、及びプラグコネクタと、デバイスコネクタと、ケーブル本体とからなる接続線を収容する。
【００１１】
前記プラグコネクタにおいて、該メモリモジュールは、該メモリコネクタに取り外し不可に取り付けられる。
【００１２】
前記プラグコネクタにおいて、該メモリモジュールは、該メモリコネクタに取り外し可能に取り付けられる。
【００１３】
前記プラグコネクタにおいて、該メモリコネクタは、固定支持部材と、複数の信号端子と、を含み、該固定支持部材は、該回路板の底面に固定され、該固定支持部材の該底面上の取り付け溝は、該メモリモジュールを収容し、該信号端子は、該固定支持部材に固定され、該メモリモジュールの上面の複数の金属接点は、該信号端子にそれぞれ電気接続される。
【００１４】
前記プラグコネクタにおいて、該回路板アセンブリは、第２端子組を更に含み、該第２端子組は、複数の第２導電端子を含み、該回路板の上面に配置される。
【００１５】
前記プラグコネクタにおいて、該保護殻は、該遮蔽外殻を収容するための空間を含む。
【００１６】
前記プラグコネクタにおいて、前記プラグコネクタは、ＵＳＢ２．０標準に適合する。
【００１７】
前記プラグコネクタにおいて、前記プラグコネクタは、ＵＳＢ３．０標準に適合する。
【００１８】
本発明のケーブルアセンブリは、プラグコネクタ、デバイスコネクタ及びケーブル本体を含む。該プラグコネクタは、回路板アセンブリ、メモリモジュール及び遮蔽外殻を含む。該回路板アセンブリは、回路板、第１端子組及びメモリコネクタを含む。該第１端子組は、複数の第１導電端子を含み、電力を伝送し、該第１端子組は、該回路板の上面に配置される。該メモリコネクタは、該回路板の底面に配置される。該メモリモジュールは、該メモリコネクタに取り付けられる。該遮蔽外殻は、収容空間を含む。該収容空間は、該回路板アセンブリ及び該メモリモジュールを含む。更に、該ケーブル本体は、該プラグコネクタ及び該デバイスコネクタの間に接続される。
【発明の効果】
【００１９】
使用者の電子装置の遺失によって新しい電子装置に交換するか、電子装置のメモリの損壊により、電子装置のデータを消失する時、使用者は、該接続線の接続によって該接続線のメモリユニットに保存したデータを電子装置中にリカバリし、元々電子装置中に記録していたデータを回復し、使用者がデータを再入力する必要がないようにし、使用利便性を向上させる。
【図面の簡単な説明】
【００２０】
【図１】本発明の保存機能を有する接続線を用いたデータバックアップ方法の好適実施例のフロー図である。
【図２】電子装置と保存機能を有する接続線の接続の説明図である。
【図３Ａ−Ｄ】本発明の保存機能を有する接続線を用いたデータバックアップ方法の好適実施例の電子装置の表示画面の説明図である。
【図４】本発明の保存機能を有する接続線を用いたデータリカバリ方法の好適実施例のフロー図である。
【図５Ａ−Ｄ】本発明の保存機能を有する接続線を用いたデータリカバリ方法の好適実施例の電子装置の表示画面の説明図である。
【図５Ｅ】本発明の保存機能を有する接続線を用いたデータリカバリ方法の好適実施例の電子装置の表示画面の説明図である。
【図６】本発明のプラグコネクタの立体図である。
【図７】本発明のプラグコネクタのもう１つの立体図である。
【図８】本発明のプラグコネクタの分解図である。
【図９】本発明のプラグコネクタのもう１つの分解図である。
【図１０】本発明のプラグコネクタの局部断面図である。
【発明を実施するための形態】
【００２１】
以下に図面に合わせて本発明の好適実施例を挙げ、本発明が予定の目的を達成する為に採用する技術手段を更に詳細に説明する。
【００２２】
図１に示すように、本発明は、保存機能を有する接続線を用いたデータバックアップ方法及びデータリカバリ方法であり、該保存機能を有する接続線を用いたバックアップ方法は、電子装置により実行され、該データバックアップ方法は、以下の工程を含む：
バックアップ信号を受け取り、且つ保存機能を有する接続線と接続しているかを判断し（Ｓ１１）、
該バックアップ信号を取り且つ該接続線と接続している時、バックアッププロセスを実行し（Ｓ１２）、
バックアッププロセスを実行する時、電子装置内に保存されたデータを該接続線に伝送してバックアップし（Ｓ１３）、
該保存機能を有する接続線が該データを保存完了したかを確認し（Ｓ１４）、
該接続線が該データを保存完了していれば、該バックアッププロセスを終了する（Ｓ１５）。
【００２３】
該保存機能を有する接続線は、接続線中にフラッシュメモリモジュールを有し、データを保存させ、且つ該接続線の両端のコネクタは、その片方のコネクタが電子装置と接続し、他方のコネクタがパソコン又は充電機器と接続し、本発明は、該接続線により該電子装置と接続後、電子装置内に保存したデータをバックアップすることができる。該電子装置が充電するか、パソコンに接続してデータを伝送する必要がある時、該接続線によって該充電器又は該パソコンに接続し、従って、使用者は、常時該接続線を携帯し、本発明によって電子装置が該接続線によって充電すると同時にデータを該接続線中にバックアップするか、電子装置が該接続線によりパソコンに接続する時、データを該接続線中にバックアップし、これにより常時バックアップデータを更新し、電子装置の遺失時の損失を軽減する目的を達成する。
【００２４】
図２に示すように、本発明がデータバックアップを行う時、先ず該電子装置１０を該接続線２０と接続し、且つ該電子装置１０は、アプリケーション(application)を実行する。
【００２５】
図３Ａに示すように、該電子装置１０が該アプリケーションを実行する時、該電子装置１０の表示画面１１は、該接続線２０の保存空間にどれだけ該電子装置１０にバックアップさせることができる容量が残っているかを表示し、且つ該アプリケーションは、多種の異なる種類のデータのバックアップ機能を提供して使用者に選択させ、例えば、使用者は、該電子装置１０の連絡者情報、カレンダーデータ、写真データのうちの何れか１つ又は任意の組み合わせを選択してバックアップすることができ、即ち、該データは、連絡者情報、カレンダーデータ、写真データのうちの何れか１つ又は任意の組み合わせであり、本好適実施例において、使用者は、全てのデータのバックアップ機能を選択する。
【００２６】
図３Ｂに示すように、使用者が全てのデータのバックアップ機能を選択した後、該電子装置１０の表示画面１１は、バックアップアイコン１２及びリカバリアイコン１３を表示し、使用者に今回実行する該アプリケーションが、該電子装置内のデータを該接続線中に伝送してバックアップするものであるか、該接続線中のデータを該電子装置に伝送してリカバリするものであるかを選択させる。
【００２７】
図３Ｃに示すように、使用者は、該バックアップアイコンを選択する時、該電子装置１０は、該使用者が該バックアップアイコンを選択したことにより発生するバックアップ信号を受信し、且つ該電子装置１０は、該接続線２０と接続するかを確認する（工程Ｓ１１）。該電子装置１０が該バックアップ信号を受信しており、且つ該接続線２０と接続していることを確認した後、該バックアッププロセスの実行を開始する（工程Ｓ１２）。該電子装置１０が該バックアップ信号を受信していないか、該接続線２０と接続していなければ、該バックアップ信号及び受信したか、該接続線２０と接続しているかの再確認する（工程Ｓ１１）。該バックアッププロセスを実行する時、該電子装置１０は、該電子装置内に保存したデータを該接続線２０に伝送してバックアップする（工程Ｓ１３）。該電子装置１０内のデータが該接続線２０に伝送された後、該電子装置は、該接続線が該データを保存完了したかを確認し（工程Ｓ１４）、該接続線２０は、該データを保存完了すれば、該バックアッププロセスを終了する（工程Ｓ１４）。該接続線２０が該データを保存完了していなければ、工程Ｓ１３を再実行する。
【００２８】
図３Ｄに示すように、該バックアッププロセスを終了した後、該電子装置は、該接続線のメモリユニット中に保存したデータを表示し、使用者に査読させ、本好適実施例において、使用者は、全てのデータをバックアップする機能を選択しているので、図３Ｄの表示画面において、今回バックアップしたデータに連絡者情報、カレンダー及び写真があることを表示する。
【００２９】
図４を参照し、該保存機能を有する接続線を用いたデータリカバリ方法は、該電子装置１０により実行され、該データリカバリ方法は、
リカバリ信号を受け、保存機能を有する接続線と接続しているかを判断し（Ｓ２１）、
該リカバリ信号を受け、且つ該接続線と接続している時、リカバリプロセスを実行し（Ｓ２２）、
該リカバリプロセスを実行する時、該接続線内に保存したデータを選択して該伝送装置に伝送し（Ｓ２３）、
該電子装置は、該データを保存完了したかを確認し（Ｓ２４）、
該データが保存完了していれば、該リカバリプロセスを終了する（Ｓ２５）。
【００３０】
使用者の電子装置１０の遺失によって新しい電子装置に交換するか、電子装置１０のメモリの損壊によって、電子装置１０のデータが消失した時、使用者は、該接続線２０と接続することができ、該接続線２０に保存したデータを該電子装置１０中にリカバリし、該電子装置１０中のデータをリカバリすることで使用者は、データを再入力する必要がなく、使用利便性を向上させる。
【００３１】
図２に示すように、本発明がデータリカバリを行う時、先ず、該電子装置１０と該接続線２０を接続し、且つ該電子装置１０が該アプリケーション(application)を実行する。
【００３２】
図５Ａに示すように、該電子装置１０は、該アプリケーションを実行する時、該電子装置１０の表示画面１１が該接続線２０の保存空間に残りどれだけの容量が該電子装置１０にバックアップさせることができるかを表示し、且つ以前にデータバックアップを実行していれば、前回バックアップの日時を表示し、使用者に参考させる。
【００３３】
該アプリケーションは、多種の異なる種類のデータのバックアップ又はリカバリ機能を使用者に選択させ、例えば、使用者は、該電子装置１０の連絡者情報、カレンダー、写真のうちの何れか１つ又は任意の組み合わせをバックアップ又はリカバリすることができ、本考案の実施例では、使用者は、連絡者情報のバックアップ又はリカバリ機能を選択する。
【００３４】
図５Ｂに示すように、使用者は、連絡者情報のバックアップ又はリカバリ機能を選択した後、該電子装置１０の表示画面１１は、該バックアップアイコン１２及び該リカバリアイコン１３を表示し、使用者に今回実行する該アプリケーションが該電子装置１０のデータを該接続線２０中に伝送してバックアップするのであるか、該接続線２０中のデータを該電子装置１０中に伝送してリカバリするのであるかを選択させる。使用者が該リカバリアイコン１３を選択する時、該電子装置１０は、該使用者が該リカバリアイコン１３を選択したことにより発生するリカバリ信号を受信し、且つ該電子装置１０が該接続線２０と接続しているかを確認し（工程Ｓ２１）、該電子装置１０が該リカバリ信号を受信し、且つ該接続線２０と接続していることを確認した後、該リカバリプロセスの実行を開始する（工程Ｓ２２）。該電子装置１０が該リカバリ信号を未だ受け取っていないか、該電子装置１０と該接続線２０が接続されていない時、該電子装置１０は、該リカバリ信号を受け取ったか、及び該接続線２０と接続しているかを再判断する（Ｓ２１）。
【００３５】
図５Ｃに示すように、該リカバリプロセスを実行する時、該電子装置１０は、少なくとも１つの連絡者情報を使用者に選択させるよう表示し（Ｓ２３）、使用者は、必要に応じてどの連絡者情報を該伝送線２０から該電子装置１０中にリカバリするかを選択し、本好適実施例において、該少なくとも１つの連絡者情報は、使用者が以前に該電子装置１０から該伝送線２０中に伝送してバックアップした連絡者情報であり、使用者がそれぞれ異なる時間点で該電子装置１０の連絡者情報を該伝送線２０中に伝送してバックアップする時、使用者に選択させる連絡者情報は、複数あり、且つ各連絡者情報の作成時間が異なる。
【００３６】
図５Ｄに示すように、使用者が連絡者情報を選択した後、該電子装置１０は、使用者が選択した該接続線２０内に保存した連絡者情報を該電子装置１０に伝送してリカバリし、該連絡者情報を該電子装置１０中に保存する（工程Ｓ２３）。該電子装置１０は、該データを保存完了しているかを確認する。
【００３７】
図５Ｅに示すように、該データを保存完了していれば、該バックアッププロセスを終了し（工程Ｓ２５）、該電子装置１０の表示画面１１は、該バックアップアイコン１２及び該リカバリアイコン１３を再表示する。該データを保存完了していなければ、工程Ｓ２３を再実行する。
【００３８】
図６〜図８を参照する。接続線２０は、本発明のプラグコネクタ１、デバイスコネクタ２及びケーブル本体３からなる。ケーブル本体３は、プラグコネクタ１及びデバイスコネクタ２の間に接続される。プラグコネクタ１は、回路板アセンブリ、メモリモジュール４７、遮蔽外殻５０及び保護殻６０を含む。
【００３９】
図９及び図１０を参照する。回路板アセンブリは、回路板１８、第１端子組及びメモリコネクタ４０を含む。複数の第１導電端子２１を含む第１端子組は、回路板１８の上面１８Ｔ上に配置され、第１導電端子は、電力を伝送する。メモリコネクタ４０は、回路板１８の底面１８Ｂ上に配置される。メモリコネクタ４０は、固定支持部材４１及び複数の信号端子４５を含む。固定支持部材４１は、回路板１８の底面１８Ｂに固定される。取り付け溝４１０は、固定支持部材４１の底面に位置する。信号端子４５は、固定支持部材４１に固定される。回路板アセンブリが第１端子組のみを有する時、プラグコネクタ１は、ＵＳＢ２．０標準に適合するように設計されることができる。
【００４０】
回路板アセンブリは、第２端子組を更に含む。複数の導電端子３０を含む第２端子組は、回路板１８の上面１８Ｔ上に配置される。従って、プラグコネクタ１は、ＵＳＢ３．０標準に適合するように設計されることができる。
【００４１】
メモリモジュール４７は、マイクロＳＤ（Micro Secure Digital）カード又はその他のサイズの小さいメモリカードである。メモリモジュール４７は、メモリコネクタ４０の取り付け溝４１０に取り外し不可に取り付けられることができる（即ち、溶接粘着方式で取り付けられる）。メモリモジュール４７は、メモリコネクタの取り付け溝４１０に取り外し可能に取り付けられる（即ち、挿入方式で取り付けられる）。更に、メモリモジュール４７の上面の複数の金属接点４７１は、複数の信号端子４５にそれぞれ電気接続される。
【００４２】
遮閉外殻５０は、収容空間５００を含む。収容空間５００は、回路板アセンブリ及びメモリモジュール４７を収容することができる。保護殻６０の材質は、ゴム又はプラスチックである。保護殻６０は、遮蔽外殻５０を収容するための空間６００を含む。
【００４３】
前記技術手段により、プラグコネクタ１が更に接続線２０に取り付けられる時、回路板アセンブリの第１導電端子２１は、電子装置１０に電力を供給する。メモリモジュール４７は、電子装置１０に追加の保存容量を提供することができる。使用者は、電子装置１０のファイルをメモリモジュール４７に移動することができる。電子装置１０は、電子装置１０の内部メモリの使用を減少する為にメモリモジュール４７のファイルを読み込むこともできる。結果として、接続線２０は、電子装置１０のオペレーティングシステムが障害発生又は効率低下となることを軽減することができる。
【００４４】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【符号の説明】
【００４５】
１  プラグコネクタ
１０  電子装置
１１  表示画面
１２  バックアップアイコン
１３  リカバリアイコン
１８  回路板
１８Ｔ  上面
１８Ｂ  底面
２  デバイスコネクタ
２０  接続線
２１  第１導電端子
３  ケーブル本体
４０  メモリコネクタ
４１  固定支持部材
４１０  取り付け溝
４５  信号端子
４７  メモリモジュール
４７１  金属接点
５０  遮蔽外殻
５００  収容空間
６０  保護殻
６００  空間
【図１】
2016197401.tif 000003
【図２】
2016197401.tif 000004
【図３Ａ−Ｄ】
2016197401.tif 000005
【図４】
2016197401.tif 000006
【図５Ａ−Ｄ】
2016197401.tif 000007
【図５Ｅ】
2016197401.tif 000008
【図６】
2016197401.tif 000009
【図７】
2016197401.tif 000010
【図８】
2016197401.tif 000011
【図９】
2016197401.tif 000012
【図１０】
2016197401.tif 000013